(57)【要約】機械横断方向に延びる軸（Ａ１）を中心に回転するロール（１２）と、該軸に平行でドクター背部（１８）に保持されるブレード保持具（１６）によってロール表面にあてられるドクターブレード（１４）とを有する抄紙機において、ブレード保持具（１６）の設置かつ取外し時のブレード保持具（１６）とドクター背部（１８）との機械横断方向の相対移動に適応する装置を提供する。装置は、ドクター背部（１８）に固定され、機械横断方向に長く延びるレール（４２）を含む。ガイドレールの長さ沿いには溝（４６）が延びる。溝（４６）は底面（４８）と、対向側面（５０）間で測定した幅と、両側面（５０）から内向きに突出する棚部（５２）によって規定される上面とを有し、棚部の内縁は互いに間隔が空けられて溝穴（５４）を規定し、溝穴（５４）はブレード保持具の下に位置し溝（４６）より狭い幅を有する。ブレード保持具の長さに沿って複数のシャフト（５６）が間隔を空けて配置され、溝穴（５４）を通って溝（４６）へ下向きに突き出す。第１（６２）および第２（６４）の独立回転可能要素が各シャフトによって保持される。第１の回転可能要素（６２）は溝穴（５４）中に位置し、棚部（５２）の内縁に接する寸法であり、第２の回転可能要素（６４）は溝（６４）中に位置し、棚部（５２）の下面に接する寸法である。
2004524457.tif 000002
【特許請求の範囲】
【請求項１】
機械横断方向に延びる軸を中心に回転するロールを有し、かつ前記軸に平行でドクター背部に保持されるブレード保持具によって前記ロール表面にあてられるドクターブレードを有する抄紙機において、前記ブレード保持具の設置および取外し時に、前記ブレード保持具と前記ドクター背部との前記機械横断方向の相対移動に適応する装置であって、
前記ドクター背部に固定され、前記機械横断方向に長く延びるレールと、
前記レールの長さに沿って延び、底面と、対向側面間で測定される幅と、前記両側面から内向きに突出する棚部によって規定される上面とを有する前記レール中の溝とを含み、前記棚部は互いに間隔が空けられて溝穴を規定する内縁を有し、前記溝穴は前記ブレード保持具の下側に位置し前記溝の幅より狭い幅を有し、前記装置はさらに、
前記ブレード保持具の長さ沿いに間隔を空けて配置され、かつ前記ブレード保持具から前記溝穴を通って前記溝へ下向きに突出する複数のシャフトと、
前記各シャフトに保持される第１および第２の独立回転可能要素であって、前記第１の回転可能要素は、前記溝穴中に配置されて前記棚部の内縁に接する寸法にされ、前記第２の回転可能要素は、前記溝中に配置されて前記棚部の下面に接する寸法にされる回転可能要素とを含む装置。
【請求項２】
請求項１に記載の装置において、
前記シャフトは、前記ブレード保持具の下面から下側に間隔を空けて配置された、半径方向に突出するカラーを含み、前記第１および第２のローラ要素は軸に沿って前記カラーと前記ブレード保持具下面との間に閉じ込められる装置。
【請求項３】
請求項１または２に記載の装置において、
前記第１のローラ要素は管状のスリーブを含む装置。
【請求項４】
請求項３に記載の装置において、
前記第２のローラ要素はディスクを含む装置。
【発明の詳細な説明】
【技術分野】
【０００１】
（優先権情報）
本願は、２００１年４月２４日出願の米国特許出願第０９／８４１，４０６号に対して優先権を主張し、該出願全体を本願に引用して援用する。
【０００２】
本発明は、一般には抄紙機（ｐａｐｅｒｍａｋｉｎｇ  ｍａｃｈｉｎｅｓ）で使用されるドクター（ｄｏｃｔｏｒ：調整器具）に関し、より特定的には、クリーニング、検査、および修理のために、簡単にドクター背部から分離かつ抄紙機から取外し可能なブレード保持具の提供に関する。
【背景技術】
【０００３】
ドクターシステムの主たる構成要素には、ドクターブレードと、ブレード保持具と、ドクター背部と、装填メカニズムとがある。ドクターブレードは、ロールを清潔に維持、および／または用紙を剥ぐ役目をする。ドクターブレードは完全に平坦、直線、かつ平行でなければならず、その構成要素はドクターされるロールと互換性のあるものでなければならない。
【０００４】
ブレード保持具は、均一な指定荷重圧をブレードに加える。ブレード保持具はブレードをロールに対して固く保持し、ロールの不規則性に適応し、限度内で熱膨張を補償する。
【０００５】
ドクター背部は、本質的にはドクターの背骨部分である。ドクター背部はブレード保持具の支持構造として機能する。装填メカニズムはドクター背部を旋回させて、ドクターブレードをロールに抗して装填する。
【０００６】
近年使用されているドクターブレード保持具の設計は、以前に使用されていた簡単なブレード保持具よりも複雑で、構成部品が多い。このため、近年の保持具の設計では、より定期的なクリーニングおよびメンテナンスが必要である。
【０００７】
例えば米国特許第５，９８０，６９２号（発明者Ｇｏｏｄｎｏｗら）に開示されているように、抄紙機が代替ブレード保持具で動作を続行している間に、オフラインでクリーニングおよびメンテナンスを行うことができる取外し可能なブレード保持具の提供が公知である。
【発明の開示】
【発明が解決しようとする課題】
【０００８】
だが経験上、ブレード保持具の取外しは、噛合しているすべり面同士の摩擦抵抗のため、時によって困難である。
【課題を解決するための手段】
【０００９】
本発明はこの問題に対処するため、ブレード保持具からドクター背部を回転可能要素と機械的に連動させる。回転可能要素は、ブレード保持具の取外しおよび交換時の摩擦抵抗を減じるように戦略的に配置される。
【発明を実施するための最良の形態】
【００１０】
以下、添付図面を参照して本発明の上記ならびにそれ以外の目的、特徴、および利点を詳細に説明する。
【００１１】
まず図１を参照すると、抄紙機ロール１２に隣接して、本発明に従うドクターアセンブリを一般に１０で示す。ロール１２は、機械横断方向に延びる軸Ａ1を中心に回転するように、従来手段（図示せず）によって駆動される。ドクターアセンブリは、ドクターブレード１４と、ブレード保持具１６と、ドクター背部１８と、装填メカニズム２０とを含む。ドクター背部は抄紙機の枠に設置され、ロール１２の回転軸Ａ1と平行に機械横断方向に延びる軸Ａ2を中心に旋回運動する。装填メカニズム２０はピストン−シリンダユニット２２を含み、これはドクターブレード１４をロール１２表面に抗して装填するため、レバーアーム２４によって軸Ａ2を中心にドクター背部１８を旋回させる。
【００１２】
さらに図２および図３を参照すると、ブレード保持具１６はトレイ２６を含み、アンローディングチューブ３０とローディングチューブ３２との間に直立ブラケット２８が配置される様子を示す。頂部の圧力板３４はチューブ３０，３２を覆い、かつ付随ブラケット３６を含み、これは軸Ａ1およびＡ2と平行な第３の軸Ａ3を中心に旋回運動するようにロッド３８によってブラケット２８に接続される。
【００１３】
フィンガー４０は、頂部圧力板３４の下面と協働してドクターブレード１４を前方伸張位置に保持する。チューブ３０，３２は流体駆動され、チューブ３２は装填メカニズム２０によって加えられる力と共同してブレード１４をロール１２の表面にあてがう。チューブ３０は、前側のシールの機能に加えてブレードをロール表面から降ろすように働く。
【００１４】
レール４２は、ドクター背部１８から前方に突出しドクター背部１８の一部を構成する棚板４４に、ネジ４３で固定される。レールは機械横断方向に伸び、レールの長さに沿って溝４６が設けられる。溝４６は、底面４８と、対向側面５０間で測定した幅「ｗ」と、両側面５０から内向きに突出した棚部５２によって規定される上面とを有し、棚部５２は互いに間隔が空けられた内縁を有し、ブレード保持具の下に溝穴５４を規定する。溝穴５４は溝４６と連通し、かつ溝４６の幅より狭い幅を有する。
【００１５】
ブレード保持具の長さ沿いに、複数の中空のスタブ軸５６が間隔を空けて配置される。シャフトはブレード保持具の下面から溝穴５４を通って溝４６へ下向きに突出し、機械ネジ５８等で定位置に固定される。スタブ軸５６の下端には、ブレード保持具の下面より下に間隔を空けて配置される、一体成形した半径方向に突出する円形カラー６０が設けられる。シャフト５６は、管状のスリーブ６２を含む第１の回転可能要素と、ディスク６４を含む第２の回転可能要素とを受け、第１および第２の回転可能要素は軸に沿ってブレード保持具下面と円形シャフトカラー６０間に閉じ込められる。スリーブ６２とディスク６４とは互いに独立して回転可能で、スリーブ６２は棚部５２の内縁間に位置し、ディスク６４は棚の下面から下側へ突出する。
【００１６】
ブレード保持具が図面のように設置されて動作状態になると、各スタブ軸５６とそのスリーブ６２およびディスク６４とがレールの隣接面と共同して、必要な機械的相互係合を確立する。ブレード保持具の取外しおよび交換時には、スリーブ６２とディスク６４とがやはりレールの隣接面に回転可能に接触して、それぞれ独立した表面速度で自由に回転し、これによりブレード保持具がドクター背部の動作位置へ入る、または動作位置から抜ける際の摩擦抵抗を大幅に低減する。
【００１７】
上記を考慮して、開示のために選択した本明細書中の実施形態に対して、前掲の特許請求の範囲から逸脱することなく各種変更および変形が可能であり、かつ本発明は任意の特定のブレード保持具設計における使用に限定されないことが、当業者には理解できると考える。
【図面の簡単な説明】
【００１８】
【図１】本発明に従う取外し可能なドクターブレード保持具を含むドクターアセンブリの側面図である。
【図２】ブレード保持具およびその関連設置部品の拡大断面図である。
【図３】図２の３−３線を長手方向に見た断面図である。
【国際公開パンフレット】
2004524457.tif 000003
2004524457.tif 000004
2004524457.tif 000005
2004524457.tif 000006
2004524457.tif 000007
2004524457.tif 000008
2004524457.tif 000009
2004524457.tif 000010
【国際調査報告】
2004524457.tif 000011
2004524457.tif 000012